(57)【要約】      （修正有）【課題】薄くて引張り強度が高く、しかも収縮性の少ない和紙の提供。【解決手段】下紙層１と上紙層３の間に合成樹脂製の補強シート２を挟み込んだ３層構造を有し、上紙層３を作る紙料内部には合成樹脂製の補強シート２と接着性の良好な合成樹脂の繊維を含有している和紙。【選択図】図１
2020192773.tif 000002
【特許請求の範囲】
【請求項１】
薄くて引張り強度が高く、しかも収縮性の少ない和紙において、該和紙は下紙層と上紙層の間に合成樹脂製の補強シートを挟み込んだ３層構造とし、上紙層を作る紙料内部には上記合成樹脂製の補強シートと接着性の良好な合成樹脂の繊維を含有したことを特徴とする低収縮性に優れた和紙。
【請求項２】
上記合成樹脂製の補強シートとして、新日石プラスト株式会社製のワリフを用いた請求項１記載の低収縮性に優れた和紙。
【請求項３】
上記上紙層を作る紙料内部に含有する合成樹脂製の繊維として、三井石油化学工業株式会社製のＳＷＰを用いた請求項１、又は請求項２記載の低収縮性に優れた和紙。
【発明の詳細な説明】
【技術分野】
【０００１】
本発明は貼り付けやすくて剥がしやすく、縮みにくく（低収縮性）、しかも薄くて強度が高い和紙に関するものである。
【背景技術】
【０００２】
紙には和紙と洋紙が存在しているが、和紙は洋紙に比較すると非常に伸びやすく縮みやすい。これは紙層を構成する繊維質が長いために水分に弱く、糊にも弱いことによる。
ふすま紙、壁紙を貼る時に使用する糊によって一時的に伸びた紙が乾燥する際に、元の寸法以下に縮むことによって貼りわせた部分（切り口）が開いてしまう。この問題は、手抄きの和紙でも機械抄きの和紙であっても発生する。
【０００３】
また、部屋の内装工事において壁紙を貼ることが多いが、壁紙貼りに使用される糊は比較的強力な接着力を有し、該糊を壁紙の裏全面に塗って貼付けられる。その為に貼着される和紙が縮むことを抑制することは出来るが、その反面、壁紙やふすま紙を剥がす際には強力な接着の影響で下地面が奇麗に剥がれ難い。
再度、新しいふすま紙を貼る場合には、下地面の再加工（丁寧にすべてを剥がして奇麗な平面に仕上げる）が必要となる。
【０００４】
その結果、壁紙やふすま紙の貼り替えには時間（手間）がかかり、重労働となる。
営業中の店舗の場合、店が閉店した夜から翌日の開店までの時間帯に汚れた壁紙の貼り替えを行うことが出来ず、休日前で時間的に余裕のある時期に限られる。又は、時には、店を休業にして壁紙の貼り替え作業をしなくてはならず、店にとっては大きな損失となる。
貼着した壁紙を手早く剥がすには、糊の接着力に負けない引っ張り強度が必要になる。
【０００５】
歴史のある和紙であるが、貼る時に使用する糊によって一時的に伸びた紙が乾燥する際に、元の寸法以下に縮み、その為に貼りわせた部分の開きを防止する技術は今日まで開発されていない。これは、従来から職人の技によって克服されてきている。
一方、和紙の引張り強度の向上に関しては、従来２，３の技術が知られている。
【０００６】
特開２００５−２３２６３６号に係る「シルク、キトサン入り紙」は、麻、木材等のパルプ類を原料として機械抄きされる和紙において、抗菌性、吸着性を高め、さらに強度や紫外線のカット能力を向上させ、広範囲の利用価値を生むことが出来る。
すなわち、抄紙前工程におけるパルプ原液調合中に、パウダ−状、繊維状シルク及び高分子キトサン、低分子キトサンを添加して抄き込まれた紙である。
【０００７】
特開２００４−１１４６５３号に係る「障子紙」は、強度に優れ、濡れた雑巾が障子紙に触れても、障子紙に汚れが付着することがない等の耐汚染性に優れ、また作業性に優れ、さらに、ロール状に巻き取った状態の障子紙を使用して、障子枠に貼り付けた場合にも、反りかえりが少なく、容易に貼り付けることができる。
ところで、和紙などの紙基材の両面にポリエステル系接着剤などの接着剤から成る接着剤層を設け、両面の接着剤層のそれぞれの表面に二軸延伸ポリプロピレンフィルムなどの延伸樹脂フィルムを積層した構造としている。
【０００８】
特開２００２−６９８９１号に係る「ガラスコーティング絶縁紙」は、紙素材の柔軟性等の性質に鑑み、身近に存在する和紙、洋紙、布等の紙素材に処理することにより、「厚み」、「密度」、「引張強度」、「伸び」、「絶縁破壊強度」、「表面抵抗率」、「体積固有抵抗」、「１時間吸水率」、そして、「撥水度」等の、絶縁紙に必要な種々の特性を有するガラスコーティング絶縁紙である。
ところで、紙素材に、シラン系コート液を塗布し、触媒の作用で硬化・固化させて、表面にガラスコーティング膜を形成している。
【０００９】
【特許文献１】特開２００５−２３２６３６号に係る「シルク、キトサン入り紙」
【特許文献２】特開２００４−１１４６５３号に係る「障子紙」
【特許文献３】特開２００２−６９８９１号に係る「ガラスコーティング絶縁紙」
【発明の開示】
【発明が解決しようとする課題】
【００１０】
このように、引張り強度を高めた和紙に関しては従来においても知られている。ところで、本発明に係る和紙は引っ張り強度を高めるだけでなく、収縮性が小さく、しかも強度が高くても厚くならない和紙を提供する。
【課題を解決するための手段】
【００１１】
本発明に係る和紙は３層構造として構成し、両面に紙層を設け、その間には合成樹脂の補強シートを介在している。すなわち、ベースとなる下紙層はパルプなどから成る紙料を抄いて作られ、その上に合成樹脂の補強シート（例えば、ポリエチレン不織布）が積層され、さらに上記合成樹脂補強シートの上面には別の上紙層が積層される。ここで、合成樹脂補強シートの具体的な材質並びに構造に関しては限定しないことにする。
【００１２】
ただし、上面の上紙層には合成樹脂繊維を含む紙料が用いられて構成されている。すなわち、合成樹脂補強シートとの接着性（密着性）を向上するために、紙料中に合成樹脂繊維を含有した紙料としている。
そして、３層に積層して構成された後、乾燥され、その後で熱圧着されて本発明の和紙となる。ここで、各層の具体的な厚みは限定しないが、薄くて引っ張り強度の高い和紙と成る。
【発明の効果】
【００１３】
本発明に係る和紙は、両紙層の間に合成樹脂の補強シートを介在した３層構造と成っている。その為に、該和紙の引っ張り強度は非常に高くなり、しかし厚さは薄くすることが出来る。したがって、壁紙として用いられた場合、古い壁紙を取り除く際に力強く剥がすすことが出来る。この際に、本発明の壁紙は強度が高いために破れることはなく、下地面に剥がし残しはなく、簡単に効率よく剥がすことが出来、新しい壁紙を貼り付けることが可能である。
【００１４】
例えば、店舗の内装工事で、壁紙の貼り替え作業は平日であっても、店を閉じてから翌日の開店までの短い間に作業を終えることが可能となる。
また、本発明の和紙は、ふすま紙として用いる場合、壁紙として用いる場合などあり、その用途は限定しないが、伸び縮みが極めて小さいために、貼着後の収縮性を考慮する必要はなく、熟練の少ない職人であっても貼り付け作業を行うことが可能となる。
【図面の簡単な説明】
【００１５】
【図１】本発明に係る低収縮性の和紙を作る工程。
【図２】和紙を構成する合成樹脂製補強シートの具体例。
【図３】本発明に係る低収縮性の和紙を製造する装置。
【図４】和紙を構成する３層を熱圧着することが出来る熱プレス装置を示す具体例。
【発明を実施するための形態】
【００１６】
本発明に係る低収縮性に優れた和紙は、薄くて引っ張り強度が高くなるように構成している。そこで、該和紙は３層構造とし、両紙層と合成樹脂の補強シートから成り、上記合成樹脂補強シートは両紙層の間に挟まれたサンドイッチ構造と成っている。
図１は本発明の低収縮性の和紙の作り方を示す概略図であり、１は下紙層、２は合成樹脂製補強シート、３は上紙層を表している。
【００１７】
パルプを原料として水に溶かした紙料を抄いて下紙層１を作り、この下紙層１の上には合成樹脂の補強シート２が重ねられる。そして、次の工程で上紙層３が形成されるが、パルプを原料として水に溶けた紙料が上記合成樹脂の補強シート２の上に流し込まれて作られ、３層が一体化した和紙になる。
【００１８】
ところで、本発明では上記合成樹脂の補強シート２が積層されて和紙の引張り強度を高めているが、合成樹脂の補強シート２としては、例えば新日石プラスト株式会社製の「ワリフ」（登録商標）を使用することが出来る。
該ワリフは、ポリオレフィン製の繊維直交積層不織布であり、包装材など多くの用途に使用されている。ポリオレフィン製のフィルムを割繊・延伸し、直交積層した構造となっていて、薄くて軽い補強シートである。
【００１９】
図２は上記合成樹脂の補強シート２の１例である「ワリフ」の具体例を表している。該ワリフは同図に示しているように、細いポリオレフィン製の繊維４，４・・・が縦横方向に延び、互いに交叉した網目を構成している。
ワリフは薄くて軽量であり、通気性がよく、縦・横方向はともに高強度でバランスがよく、また目ズレを生じることなく安定性に優れている。その為に、補強シートとして積層することで、軽くて丈夫な和紙が構成される。
【００２０】
ところで、上紙層３は上記合成樹脂製の補強シート２であるワリフとの接着性を向上させる為に、上紙層３を構成する紙料には合成樹脂の繊維を含んでいる。
該ワリフは細いポリオレフィン製の繊維４，４・・・にて構成されている為に、同じ材質とすることで、分離することなく安定した密着が得られる。
このように、下紙層１、合成樹脂製補強シート２、及び上紙層３が積層された和紙は乾燥され、その後、熱圧着される。
【００２１】
上記合成樹脂の繊維の具体例としては、三井石油化学工業株式会社製の「ＳＷＰ」を用いることが出来る。ＳＷＰは親水性を有すパルプ状多分岐繊維であり、上記ワリフと接着し、上紙層３は合成樹脂製補強シート２であるワリフと接着して薄いが強度が高い和紙となる。
【００２２】
本発明に係る和紙は、手抄きでも作ることは可能であるが、図３は該和紙を製造する装置を示す実施例である。
同図の５は第１抄き具、６は第１走行ワイヤーベルト、７は巻出しロール、８は第２抄き具、９は第２走行ワイヤーベルトを、１０は搬送毛布、１１は乾燥シリンダー、１２は巻取りロールをそれぞれ表している。
【００２３】
ところで、第１抄き具５によって上記下紙層１が作られ、下紙層１は第１走行ワイヤーベルト６にて→方向へ送られる。巻出しロール７には合成樹脂製補強シート２が巻かれ、この巻出しロール７から巻き戻された合成樹脂製補強シート２が第１走行ワイヤーベルト６に載って運ばれる下紙層１の上に重なり合う。したがって、下紙層１と合成樹脂製補強シート２は互いに重なった状態で第１走行ワイヤーベルト６によって運ばれる。
【００２４】
そして、第２抄き具８にて上紙層３が抄かれ、上紙層３は第２走行ワイヤーベルト９に載って運ばれる。上紙層３はパルプを水で溶かした紙料を抄くって作られるが、該紙料には合成樹脂の繊維であるＳＷＰを含有している。
第２走行ワイヤーベルト９は→方向に走行して循環するが、その下端側は上記第１走行ワイヤーベルト６に接近し、第２走行ワイヤーベルト９に載って運ばれた上紙層３は、第１走行ワイヤーベルト６に載って運ばれる合成樹脂製補強シート２の上に重なり合う。したがって、下紙層１、合成樹脂製補強シート２、及び上紙層３が互いに重なり合う３層構造となる。
【００２５】
３層に成った積層構造の和紙は搬送毛布１０に密着して搬送され、加熱された熱い乾燥シリンダー１１に張り付き、水分が除去されて乾燥した和紙Ａは巻取りロール１２に巻き取られる。巻取りロール１２に巻かれた和紙Ａは巻戻され、積層された３層構造の和紙Ａは熱プレス装置によって熱圧着することが出来る。
そして、熱圧着された３層構造の和紙Ａは必要なサイズに裁断され、壁紙として、又はふすま紙として、また、その他適当な用途に使用される。
【００２６】
図４は熱プレス装置を示す具体例である。同図の１３は巻き出し装置、１４は張力検出器、１５は熱プレス装置、１６は巻取装置をそれぞれ表している。上記巻き出し装置１３には前記図３に示している巻取りロール１２が装着される。該巻取りロール１２には下紙層１、合成樹脂製補強シート２、及び上紙層３が互いに重なり合って３層構造とした和紙Ａが巻き付いている。
該巻取りロール１２から和紙Ａは巻き出されて上記張力検出器１４へ送られ、ジグザグ状に配列している複数のロール１７ａ，１７ｂ，１７ｃ・・・に巻き付いて走行する。
【００２７】
そして、該和紙Ａは台１８の上面を通過し、この際に和紙Ａに欠陥があるか否かを作業者が検査する。張力検出器１４を出た和紙Ａは熱プレス装置１５に入り、下紙層１、合成樹脂製補強シート２、及び上紙層３の３層は熱圧着することが出来る。該熱プレス装置１５は３つの加熱ロール１９ａ，１９ｂ，１９ｃを配列して成り、和紙Ａはこれら各加熱ロール１９ａ，１９ｂ，１９ｃに巻き付いて通過することで３層は強固に圧着することが出来る。
熱プレス装置１５を通過した和紙Ａは巻取装置１６の巻取りロール２０に巻付くことになる。ただし、上記熱プレス装置１５の具体的な構造に関しては限定しない。
【符号の説明】
【００２８】
１   下紙層
２   合成樹脂製補強シート
３   上紙層
４   ポリオレフィン製の繊維
５   第１抄き具
６   第１走行ワイヤーベルト
７   巻出しロール
８   第２抄き具
９   第２走行ワイヤーベルト
10   搬送毛布
11   乾燥シリンダー
12   巻取りロール
13   巻き出し装置
14   張力検出器
15   熱プレス装置
16   巻取装置
17   ロール
18   台
19   加熱ロール
20   巻取りロール
【図１】
2020192773.tif 000003
【図２】
2020192773.tif 000004
【図３】
2020192773.tif 000005
【図４】
2020192773.tif 000006